(57)【要約】【課題】ＬＥＤ照明灯に安定した電力を供給する放電ランプ安定器互換型ＬＥＤ照明灯の電力供給装置を提供する。【解決手段】安定器に接続される多数の接続端子と、接続端子の出力端にそれぞれ備えられるヒューズと、接続端子を介して入力されるＡＣ電源の負荷を感知する負荷安定化部と、負荷安定化部を介して印加されるＡＣ電力をＤＣ電力に変換して出力する変換部と、変換部を介して出力されるＤＣ電力が印加されて駆動するＬＥＤ部とを含み、負荷安定化部は、ヒューズの出力端に第１インダクタと第１セラミックキャパシターが直列で連結され、第１セラミックキャパシターの入力端と出力端の間に第２セラミックキャパシターと温度スイッチが並列で連結された第１フィラメントと、多数の接続端子のうち一つの出力端と変換部の間に第２インダクタと第３セラミックキャパシターが直列で連結される第２フィラメントとを含む。【選択図】  図１
2019194962.tif 000002
【特許請求の範囲】
【請求項１】
安定器に接続される多数の接続端子と、
前記接続端子の出力端にそれぞれ備えられるヒューズと、
前記接続端子を介して入力されるＡＣ電源の負荷を感知する負荷安定化部と、
前記負荷安定化部を介して印加されるＡＣ電力をＤＣ電力に変換して出力する変換部と、
前記変換部を介して出力されるＤＣ電力が印加されて駆動するＬＥＤ部とを含んでなり、
前記負荷安定化部は、
前記ヒューズの出力端に第１インダクタと第１セラミックキャパシターが直列で連結され、前記第１セラミックキャパシターの入力端と出力端の間に第２セラミックキャパシターと温度スイッチが並列で連結された第１フィラメントと、
前記多数の接続端子のうち一つの出力端と前記変換部の間に第２インダクタと第３セラミックキャパシターが直列で連結されてなる第２フィラメントとを含んでなることを特徴とする、放電ランプ安定器互換型ＬＥＤ照明灯の電力供給装置。
【請求項２】
前記第２セラミックキャパシターの一端は前記第１インダクタの出力端に連結され、他端は前記温度スイッチに連結され、前記温度スイッチの他端は前記第１セラミックキャパシターの出力端に連結されることを特徴とする、請求項１に記載の放電ランプ安定器互換型ＬＥＤ照明灯の電力供給装置。
【請求項３】
前記第２セラミックキャパシターと前記温度スイッチは直列で連結されることを特徴とする、請求項１に記載の放電ランプ安定器互換型ＬＥＤ照明灯の電力供給装置。
【請求項４】
安定器に接続される多数の接続端子と、
前記接続端子の出力端にそれぞれ備えられるヒューズと、
前記接続端子を介して入力されるＡＣ電源の負荷を感知する負荷安定化部と、
前記負荷安定化部を介して印加されるＡＣ電力をＤＣ電力に変換して出力する変換部と、
前記変換部を介して出力されるＤＣ電力が印加されて駆動するＬＥＤ部とを含んでなり、
前記負荷安定化部は、
前記ヒューズの出力端に第１セラミックキャパシターと第１インダクタが直列で連結され、前記ヒューズの出力端と第１セラミックキャパシターの出力端の間に第２セラミックキャパシターと温度スイッチが直列で連結された第１フィラメントと、
前記多数の接続端子のうち一つの出力端と前記変換部の間に第３セラミックキャパシター及び第２インダクタが直列で連結されてなる第２フィラメントとを含んでなることを特徴とする、放電ランプ安定器互換型ＬＥＤ照明灯の電力供給装置。
【請求項５】
安定器に接続される第１接続端子、第２接続端子、第３接続端子、及び第４接続端子と、
前記第１接続端子と前記第２接続端子の間に連結され、特定温度によってＯＮ又はＯＦＦされる温度スイッチと、
前記温度スイッチを含み、前記第１接続端子と前記第２接続端子の間に直列で連結される第１インダクタ及び第１セラミックキャパシターからなる第１フィラメントと、前記第４接続端子の出力端に直列で連結される第２インダクタ及び第２セラミックキャパシターからなる第２フィラメントとからなり、前記第１接続端子及び前記第２接続端子を介して入力されるＡＣ電源の負荷を感知する負荷安定化部と、
前記第１フィラメントの前記第１インダクタの出力端と前記温度スイッチの入力端の間に並列で連結される第３セラミックキャパシターと、
前記負荷安定化部を介して印加されるＡＣ電力をＤＣ電力に変換して出力する変換部と、
前記変換部を介して変換された前記ＤＣ電力を所要電圧に強化させて出力する制御部と、
前記制御部の出力端に連結され、前記制御部を介して出力される前記ＤＣ電力が印加されて駆動するＬＥＤ部とを含んでなることを特徴とする、放電ランプ安定器互換型ＬＥＤ照明灯の電力供給装置。
【請求項６】
前記温度スイッチは前記第３セラミックキャパシターと直列で連結されることを特徴とする、請求項５に記載の放電ランプ安定器互換型ＬＥＤ照明灯の電力供給装置。
【請求項７】
前記変換部と前記制御部の間に連結され、前記ＤＣ電力に含まれたノイズを除去するスイッチングノイズ除去部をさらに含んでなることを特徴とする、請求項５に記載の放電ランプ安定器互換型ＬＥＤ照明灯の電力供給装置。
【請求項８】
前記変換部と前記制御部の間に備えられる平滑部をさらに含んでなることを特徴とする、請求項７に記載の放電ランプ安定器互換型ＬＥＤ照明灯の電力供給装置。
【発明の詳細な説明】
【技術分野】
【０００１】
本発明はＬＥＤ照明灯の電力供給装置に関するもので、特にグロースターター（ｇｌｏｗ  ｓｔａｒｔｅｒ）、ラピッドスターター（ｒａｐｉｄ  ｓｔａｒｔｅｒ）、電子式（インバーター）、磁気式安定器に互換可能であり、安定した電源信号を得るようにした放電ランプ安定器互換型ＬＥＤ照明灯の電力供給装置に関するものである。
【背景技術】
【０００２】
一般に、蛍光灯は白熱灯に比べて寿命が長くて電力消耗量が少ない利点などのために広く使われている。しかし、蛍光灯は使用後に廃棄するときに蛍光灯管から流出する水銀又は鉛などによる環境汚染問題を引き起こす深刻な問題点がある。
【０００３】
このような蛍光灯は負性抵抗特性を有する水銀放電管の一種であり、電力のみ供給する場合に点灯ができなく、点灯を誘導するとともに点灯後に安定的に電力を供給するための手段として安定器が備えられている。
【０００４】
安定器は蛍光灯の駆動初期に蛍光灯の点灯に必要な放電開始高電圧を印加し、点灯後には安定的な電圧及び電流を供給する。
【０００５】
このような蛍光灯は真空ガラス管を用いて構成されるが、製造時に真空ガラス管が充分に密閉しなければならないので製作に多くの難しさがあるだけではなく、突発的に点灯できない場合があり、寿命が尽きる場合にちらつく問題があった。
【０００６】
その他にも、蛍光灯は使用後に廃棄するときに蛍光灯管から流出する水銀などの環境汚染物質による環境汚染問題を引き起こす深刻な問題点がある。
【０００７】
前記のような問題点を解決するために、近年には蛍光灯をＬＥＤ照明灯に取り替えようとする技術が提示されているが、ＬＥＤ照明灯は環境汚染問題を解決するのみならず、蛍光灯に比べて約３０％のエネルギー節減効果を得ることができるので、これに対する必要性が高くなっている。
【０００８】
このようなＬＥＤ照明灯は直流電源によって動作し、蛍光灯の点灯とは違う方式で発光するから、通常の電子式安定器にそのまま使うことができない。これは、安定器が基本的に商用６０Ｈｚ交流電力を数十ｋＨｚの交流電力に変換してランプに提供するからである。その上、多く使われる磁力式安定器は出力を制御する別個の回路を備えていないから、２次側にかかった負荷によって出力電圧が１００Ｖから１０００Ｖまで可変するので、ＬＥＤ照明灯を直接適用することができない。したがって、ＬＥＤ照明灯が電子式ＦＬ灯用安定器と互換可能になるためには、ＬＥＤなど内側に付加の変換回路を備えなければならない。
【０００９】
一方、磁気式安定器はコイルが直列で連結されて電流源の特徴を有するため、ＦＬ灯内の蛍光のためのプラズマ形成を維持する方式であり、これも交流を発生し、正常状態では電子式より高い電圧が出力される。
【００１０】
電子式安定器と磁気式安定器の特徴的な相違点は、蛍光のためのプラズマ放電状態を提供するために、前者が高周波低電圧であるに対し、後者は低周波高電圧であることにある。
仮に、既存の磁気式又は電子式安定器にＬＥＤ照明灯を適用すれば、ランプが動作しないとか過電流によってＬＥＤが焼損される問題が発生する。このような問題を解決するために、ＬＥＤ照明灯内に整流回路を備えて、磁気式又は電子式安定器から出力される交流を直流に変えてＬＥＤ照明灯に印加することができるが、この場合、磁気式と電子式安定器の回路特性が互いに違うため、ＬＥＤ照明灯に十分な電力を印加することができなくて必要な照度を得ることができないとかあるいは過負荷がかかってＬＥＤ照明灯の寿命を大きく減少させる問題が発生し得る。
【発明の概要】
【発明が解決しようとする課題】
【００１１】
本発明は前記のような問題を解決するために案出されたもので、負荷安定化部に温度スイッチを備えることで、一定温度以上に熱が発生したときに温度スイッチを動作させて負荷安定化部のインピーダンス値を下げて軽負荷と認知するようにして、劣化による火事の危険を減らすようにした放電ランプ安定器互換型ＬＥＤ照明灯の電力供給装置を提供することにその目的がある。
【００１２】
また、本発明は安定器から出力される電力信号を安定に得るために、負荷安定化部によって、無負荷、断線によって変換部に異常電圧が印加されないようにすることによってＬＥＤ照明灯に安定した電力を供給するようにした放電ランプ安定器互換型ＬＥＤ照明灯の電力供給装置を提供することにその目的がある。
【課題を解決するための手段】
【００１３】
前記のような目的を達成するための本発明による放電ランプ安定器互換型ＬＥＤ照明灯の電力供給装置は、安定器に接続される多数の接続端子と、前記接続端子の出力端にそれぞれ備えられるヒューズと、前記接続端子を介して入力されるＡＣ電源の負荷を感知する負荷安定化部と、前記負荷安定化部を介して印加されるＡＣ電力をＤＣ電力に変換して出力する変換部と、前記変換部を介して出力されるＤＣ電力が印加されて駆動するＬＥＤ部とを含んでなり、前記負荷安定化部は、前記ヒューズの出力端に第１インダクタと第１セラミックキャパシターが直列で連結され、前記第１セラミックキャパシターの入力端と出力端の間に第２セラミックキャパシターと温度スイッチが並列で連結された第１フィラメントと、前記多数の接続端子のうち一つの出力端と前記変換部の間に第２インダクタと第３セラミックキャパシターが直列で連結されてなる第２フィラメントとを含んでなる。
【発明の効果】
【００１４】
本発明の実施例による放電ランプ安定器互換型ＬＥＤ照明灯の電力供給装置は次のような効果がある。
【００１５】
第一に、負荷安定化部にインダクタを付け加えることによって負荷をより正確に感知することができる。
【００１６】
第二に、負荷安定化部に温度スイッチを備えることで、一定温度以上に熱が発生したときに温度スイッチを動作させて負荷安定化部のインピーダンス値を下げて軽負荷と認知するようにして劣化による火事の危険を減らすことができる。
【００１７】
第三に、安定器から出力される電力信号を安定に得るために、負荷安定化部によって、無負荷、断線によって変換部に異常電圧が印加されないようにすることによってＬＥＤ照明灯を駆動するための安定した電力を得ることができる。
【００１８】
第四に、商用電源１００ＶＡＣ、２２０ＶＡＣが正常に駆動して、安定器を使わなくてもＬＥＤ照明灯を駆動することができる。
【００１９】
第五に、グロースターター（ｇｌｏｗ  ｓｔａｒｔｅｒ）、ラピッドスターター（ｒａｐｉｄ  ｓｔａｒｔｅｒ）、電子式（インバーター）、磁気式安定器などの多様な方式の安定器に互換することができる。
【図面の簡単な説明】
【００２０】
【図１】本発明の実施例による放電ランプ安定器互換型ＬＥＤ照明灯の電力供給装置を概略的に示した構成図である。
【図２】本発明の実施例による放電ランプ安定器互換型ＬＥＤ照明灯の電力供給装置を概略的に示した回路図である。
【図３】本発明の他の実施例による放電ランプ安定器互換型ＬＥＤ照明灯の電力供給装置を概略的に示した回路図である。
【発明を実施するための形態】
【００２１】
以下、本発明の好適な実施例を添付図面に基づいて詳細に説明する。ただ、下記の説明及び添付図面において、本発明の要旨をあいまいにすることができる公知の機能又は構成についての詳細な説明は省略する。また、図面全般にかけて同じ構成要素はできるだけ同じ図面符号を付けて示していることに留意しなければならない。
【００２２】
図１は本発明の実施例による放電ランプ安定器互換型ＬＥＤ照明灯の電力供給装置を概略的に示した構成図、図２は本発明の実施例による放電ランプ安定器互換型ＬＥＤ照明灯の電力供給装置を概略的に示した回路図である。
【００２３】
本発明の実施例による放電ランプ安定器互換型ＬＥＤ照明灯の電力供給装置は、図１及び図２に示したように、接続端子１１０、ヒューズ１２０、温度スイッチ１３０を含む第１フィラメント１３０ａ及び第２フィラメント１３０ｂからなる負荷安定化部１４０、変換部１５０、制御部１６０及びＬＥＤ部１７０を含んでなる。
【００２４】
ここで、前記互換型ＬＥＤ照明灯とは既存の蛍光灯を取り替えるためのＬＥＤ照明灯であって、外観は既存の蛍光灯と類似しており、接続端子１１０は第１接続端子１１１、第２接続端子１１２、第３接続端子１１３、及び第４接続端子１１４を持っており、既存の蛍光灯を駆動させるために灯器具内に装着された安定器と連結されても動作可能なＬＥＤ照明灯を言う。
【００２５】
前記第１接続端子１１１、第２接続端子１１２、第３接続端子１１３、及び第４接続端子１１４は蛍光灯のソケット端子に差し込まれて電力が印加される電極端子であり、前記第１接続端子１１１、第２接続端子１１２、第３接続端子１１３、及び第４接続端子１１４のうちいずれか二つの接続端子の組合せによって安定器と連結して使うことができる。
【００２６】
前記ヒューズ１２０はそれぞれ前記第１接続端子１１１と第２接続端子１１２の出力端に連結される第１ヒューズ１２１及び第２ヒューズ１２２からなる。前記第１ヒューズ１２１及び第２ヒューズ１２２は前記第３接続端子１１３と第４接続端子１１４の出力端に連結されることで、外部から印加される電源から交流電流の瞬間過電圧又はサージ電流から回路を保護する。すなわち、前記ヒューズ１２０は許容電圧又は許容電流のいずれか一つが許容値以上となれば短絡して回路を保護するように構成される。
【００２７】
前記負荷安定化部１４０は安定器から出力される電力信号を安定に得るために、無負荷、断線によって前記変換部１５０に異常電圧が印加されないようにして、前記ＬＥＤ部１７０を駆動するための安定した電力を得ることができる。
【００２８】
前記負荷安定化部１４０は第１フィラメント１３０ａと第２フィラメント１３０ｂからなる。前記第１フィラメント１３０ａは前記第１ヒューズ１２１及び第２ヒューズ１２２の出力端の間に第１インダクタ１４１と第１セラミックキャパシター１４２が直列で連結されて構成され、前記第１セラミックキャパシター１４２の入力端と出力端の間に第２セラミックキャパシター１４３と温度スイッチ１３０が並列で連結されている。
【００２９】
前記第２セラミックキャパシター１４３の一端は前記第１インダクタ１４１の出力端に連結され、他端は前記温度スイッチ１３０に連結され、前記温度スイッチ１３０の他端は前記第１セラミックキャパシター１４２の出力端に連結される。ここで、前記第２セラミックキャパシター１４３と前記温度スイッチ１３０は直列で連結されている。
【００３０】
前記第２フィラメント１３０ｂは前記第４接続端子１１４の出力端と前記変換部１５０の間に第２インダクタ１４４と第３セラミックキャパシター１４５が直列で連結されている。ここで、前記第３セラミックキャパシター１４５の入力端と出力端の間にセラミックキャパシターと温度スイッチをさらに備えることもできる。
【００３１】
ここで、前記第２セラミックキャパシター１４３は前記第１セラミックキャパシター１４２及び第３セラミックキャパシター１４５より大きな容量を有するセラミックキャパシターからなって負荷をより円滑に感知することができるようにする。
【００３２】
一般に、放電ランプはＬＥＤ照明灯を安定器に直接連結して点灯することができない。その理由は、既存のランプ類を点灯するためには６０ＶＡＣ〜１００ＶＡＣ、４７Ｈｚ〜数十ＫＨｚの交流に変換してＬＥＤ照明灯を点灯させるからである。
【００３３】
前記負荷安定化部１４０なしにＬＥＤ照明灯を点灯させるとき、前記ＬＥＤ部１７０の点灯失敗、過電圧供給によるＬＥＤの焼損、過電流供給によるＬＥＤ照明灯の焼損、又は火事の危険が発生する。
【００３４】
したがって、前記ＬＥＤ部１７０が各種の安定器に互換できるようにするためには別個の変換回路、つまり負荷安定化部１４０がなければならない。ただ、放電ランプに適用される消費電力、ランプ種類に合うように回路のセット値が変更されるときにのみ正常駆動が可能である。
【００３５】
前記安定器を介して供給される負荷は、前記負荷安定化部１４０のインピーダンスによって無負荷（０Ｗ）、軽負荷（０〜２Ｗ）、重負荷（２〜５Ｗ）、高負荷（５Ｗ以上消耗）と認知することができる。よって、前記ＬＥＤ部１７０の駆動中に前記負荷安定化部１４０が重負荷以上と認知すれば、前記負荷安定化部１４０が劣化によって破損されて火事の危険が発生する。
【００３６】
また、ＬＥＤ照明灯の断線、制御部１６０の焼損によって全ての負荷が負荷安定化部１４０によって重負荷以上と認知されれば、前記変換部１５０が劣化によって破損されて火事の危険性が発生する。
【００３７】
このような劣化によって破損されることによる火事の危険性を減らすために、本発明は前記負荷安定化部１４０内に別個の温度スイッチ１３０を装着する。前記負荷安定化部１４０が重負荷以上と認知するとともに多くの熱が発生したとき、この熱を感知して前記温度スイッチ１３０が動作し、前記負荷安定化部１４０のインピーダンス値を下げて軽負荷と認知するようにして、劣化による火事の危険性を前もって除去する。
【００３８】
前記温度スイッチ１３０は復帰式温度ヒューズであり、異常状態の発生時にオフ（ｏｆｆ）動作を行うが、外部又は内部の異常状態が解消されれば再び復帰して正常動作（ｏｎ）を行うことになる。したがって、前記負荷安定化部１４０に過多な電流がずっと流れて過熱することを防止することができる。
【００３９】
前記温度スイッチ１３０は復帰型として説明しているが、これに限定せず、非復帰型に構成することもできる。
【００４０】
前記変換部１５０は蛍光灯用安定器から出力される電源電圧を整流する。前記変換部１５０は通常のダイオード又はその応用素子（例えば、ブリッジ整流回路など）から具現されることができるが、その外にも交流電力（ＡＣ）を整流することができればどの素子であっても本発明の変換部１５０に含まれることができる。
【００４１】
前記変換部１５０は前記第１接続端子１１１、第２接続端子１１２、第３接続端子１１３、及び第４接続端子１１４に連結されることができる。前記変換部１５０は前記第１接続端子１１１、第２接続端子１１２、第３接続端子１１３、及び第４接続端子１１４のいずれか二つの接続端子を介して入力される交流電力を全波整流して前記制御部１６０に出力する。
【００４２】
交流電力が第１接続端子１１１と第２接続端子１１２を介して入力されるとかあるいは第３接続端子１１３と第４接続端子１１４を介して入力されれば、前記変換部１５０が全波整流された電圧を出力することになる。ブリッジダイオード組合せは放電ランプ用安定器から出力される商用電源の数百倍に達する周波数の交流電力を処理するための高周波用ダイオードを使うことが好ましい。
【００４３】
一方、安定器の回路方式によって定電圧（ＣＶ）タイプ、定電流（ＣＣ）タイプ及び定電圧（ＣＶ／ＣＣ）タイプに区分することができる。
【００４４】
前記変換部１５０は、前記第１接続端子１１１、第２接続端子１１２、第３接続端子１１３、及び第４接続端子１１４を介して入力される交流電力を直流電力に変換することができる。前記変換部１５０はダイオードから具現されることができ、前記変換部１５０によって交流電力は全波整流されて脈流に変換されることができる。前記変換部１５０はダイオードの組合せ配列によって多様な形態に具現することができる。
【００４５】
前記変換部１５０は、前記ＬＥＤ部１７０が直流で動作するのに対し、安定器から第１接続端子１１１、第２接続端子１１２、第３接続端子１１３、及び第４接続端子１１４からは交流電力が入力されるので、交流を直流に変換する要素であり、どの端子が主電源であるかを区分することができないので、第１接続端子１１１、第２接続端子１１２、第３接続端子１１３、及び第４接続端子１１４に対して全波整流するように構成される。
【００４６】
前記制御部１６０は前記変換部１５０によって変換されたＤＣ電力を所要電圧に強化させて出力する。
【００４７】
一方、前記変換部１５０から制御部１６０に電力が供給されるとき、ＤＣ／ＤＣスイッチングノイズによる制御部１６０でのスイッチング失敗又は異常動作を防止するために、スイッチングノイズ除去部（図示せず）が前記制御部１６０の入力側に備えられている。
【００４８】
前記ＬＥＤ部１７０は前記制御部１６０の出力端に連結され、前記制御部１６０を介して出力されるＤＣ電力を受けて駆動される。
【００４９】
前記ＬＥＤ部１７０は複数のＬＥＤ素子が直列及び／又は並列で連結されたアレイ状になり、前記ＬＥＤ部１７０に含まれたＬＥＤの個数及び配列によってＬＥＤ照明灯の印加電流、印加及び消費電力が決定される。
【００５０】
一方、前記変換部１５０と制御部１６０の間にさらに平滑部（図示せず）が備えられる。すなわち、前記平滑部はコンデンサーからなって前記変換部１５０と制御部１６０の間に備えられ、前記変換部１５０を介して出力される商用電力及び安定器の出力を安定化させて前記制御部１６０に出力する。
【００５１】
前記平滑部は前記変換部１５０の出力端に連結され、前記変換部１５０によって整流された電圧から脈動成分を除去して平滑させることができる。一方、図面には示されていないが、前記変換部１５０の両端又は前記平滑部の両端の間にバリスタを並列で連結することで、整流された電流に含まれるサージなどが異常電圧の発生時に生じたときにこれを吸収し、あるいは保護回路を動作させることもできる。
【００５２】
本発明による放電ランプ安定器互換型ＬＥＤ照明灯の電力供給装置はグロースタータータイプ、ラピッドスタータータイプ、電子式、磁気式安定器などの多様な安定器に互換可能である。安定器から出力される電力信号を安定して得るために、負荷安定化部１４０によって、無負荷、断線によって変換部１５０に異常電圧が印加されないようにして、ＬＥＤ照明灯を駆動するための安定した電力を供給することができる。
【００５３】
前記制御部１６０はスイッチング制御部で構成される。前記スイッチング制御部は前記変換部１５０と接地端の間に備えられている。
【００５４】
図３は本発明の他の実施例による放電ランプ安定器互換型ＬＥＤ照明灯の電力供給装置を概略的に示した回路図である。
【００５５】
本発明の他の実施例による放電ランプ安定器互換型ＬＥＤ照明灯の電力供給装置は、図３に示したように、第１実施例に比べ、負荷安定化部１４０を構成する前記第１フィラメント１３０ａ及び第２フィラメント１３０ｂ、第１セラミックキャパシター１４２、第２セラミックキャパシター１４３、及び第３セラミックキャパシター１４５、第１インダクタ１４１及び第２インダクタ１４４の位置を除けば同一の構成を有する。
【００５６】
すなわち、前記第１フィラメント１３０ａは前記第１ヒューズ１２１の出力端に第１セラミックキャパシター１４２と第１インダクタ１４１が直列で連結されて構成され、前記第１ヒューズ１２１の出力端と前記第１セラミックキャパシター１４２の出力端の間に第２セラミックキャパシター１４３と温度スイッチ１３０が直列で連結されて構成されている。
【００５７】
前記第２セラミックキャパシター１４３の一端は前記第１ヒューズ１２１の出力端に連結され、他端は前記温度スイッチ１３０に連結され、前記温度スイッチ１３０の他端は前記第１セラミックキャパシター１４２の出力端に連結される。ここで、前記第２セラミックキャパシター１４３と前記温度スイッチ１３０は直列で連結されている。
【００５８】
前記第２フィラメント１３０ｂは前記第４接続端子１１４の出力端と前記変換部１５０の間に第３セラミックキャパシター１４５と第２インダクタ１４４が直列で連結されている。ここで、前記第３セラミックキャパシター１４５の入力端と出力端の間にセラミックキャパシターと温度スイッチがさらに備えられることもできる。
【００５９】
以上で説明した内容から当業者であれば本発明の技術思想を逸脱しない範疇内で多様な変更及び修正が可能であることが分かるであろう。したがって、本発明の技術的範囲は明細書の詳細な説明に記載された内容に限定されるものではなく、特許請求の範囲によって決定されなければならないであろう。
【符号の説明】
【００６０】
１１０    接続端子
１２０    ヒューズ
１３０    温度スイッチ
１４０    負荷安定化部
１５０    変換部
１６０    制御部
１７０    ＬＥＤ部
【図１】
2019194962.tif 000003
【図２】
2019194962.tif 000004
【図３】
2019194962.tif 000005